(57)【要約】      （修正有）【課題】害獣から農作物を守るための害獣撃退地雷管を提供する。【解決手段】盆状の本体下部に盆状の本体上部が蓋状に合体しており、本体下部と本体上部の間に、スプリング組み立て部材を設け、本体中央に雷管破裂装置組み立て部材を固定し、埋設した本体を害獣が踏むことにより、スプリングが収縮して雷管を破裂させ、害獣を撃退することを特徴とする。【選択図】図２
0003151215.tif 000002
【実用新案登録請求の範囲】
【請求項１】
猪等害獣による農作物の被害を防ぐ為、考案したものである。害獣撃退地雷管を、害獣が最も侵入すると思われる箇所に、本品が隠れる程度の浅い地中に埋設し、害獣が、本品を踏んだ場合、雷管が破裂し、破裂音と硝煙ガスの噴出によって撃退するシステムである。特長は、埋設した本品のどの位置を踏んでも、作動すること、また、スポーツの号砲に使用する雷管程度の破裂のため、人間が誤って踏んでも、怪我等の事故は皆無の、害獣撃退地雷管。
【請求項２】
害獣撃退地雷管のシステム中央部の雷管破裂装置組み立ては、害獣が本品システムの中央部分を外れて踏んだ場合でも、雷管装填金具がわずかに傾斜して降下するが、雷管衝撃棒の形状が先端のみ太く、傾斜しても作動に差し支えなく、また雷管衝撃棒の先端の雷管接触部分は雷管衝撃棒、雷管装填金具の双方共に傾斜に合わせたＲの形状となっており、どの方向に傾斜しても不発はない雷管破裂装置組み立て。
【考案の詳細な説明】
【技術分野】
【０００１】  本考案は、猪等、害獣から農作物を守るため、雷管を破裂させ害獣を撃退する装置である。
【背景技術】
【０００２】  近年、日本各地に於いて、猪等に依る農作物の被害が著しく増加しているが、対策は皆無に等しい。今までに、各種の撃退を目的にした機器の開発をしたが、いずれも動物の学習能力に敗退し、機能していないのが現状である。
【考案の開示】
【考案が解決しようとする課題】
【０００３】  猪等の害獣が、撃退するための器具に対し、学習能力が非常に高度であることを認識することである。人間自身が恐怖感を感じるものでなければ、害獣にも通用しない。学習能力を逆利用し、恐怖感で、人間の支配する畑地に進入しないようにすることが必須条件である。
【課題を解決するための手段】
【０００４】  本考案は、本品が隠れる程度の浅い地中に埋設し、一枚の畑に数個設置するのが望ましい。猪等が本品を踏んで、雷管の破裂を一度、二度、経験すると、その地区を危険地帯と学習し、再び足を踏み入れないと思われる。人間でも埋設場所を表示してなければ、例え、破裂による傷害の可能性は皆無と理解しても、畑に足を踏み入れるのは躊躇する。猪等の害獣が、鼻先での破裂音と、噴出口より噴出する硝煙ガスに、恐怖の学習するのは容易である。
【考案の効果】
【０００５】  本考案は、害獣の捕獲、殺傷を目的としない。あくまで動物愛護の観点から、本来の山中での生活に戻すものである。本考案は、一ミリの厚さの上部、下部本体に、４個のスプリング組み立て、及び、中央に雷管装填金具組み立てから成り立っており、防錆のため、すべてステンレス製である。構造も比較的単純であり、製造コストも安価である。従来の害獣対策は、侵入を防ぐための、柵、罠、警告音、等、限られた方策しか方法がなかった。特に、猪は夜行性である。農作物の被害は、猿、鹿等以外は殆ど夜間である。
本考案は、昼夜の区別なく、集団性の害獣に最も効果的である。
【考案を実地するための最良の形態】
【０００６】    本考案品を実地するために、最も重要なことは、防湿である。本品が隠れる程度の地中に埋設するため、雨水の溜まり易い場所を避けることが必須条件である。本考案品本体の防湿性も最重要で、雷管装填金具の交換は数ヶ月に一度を目標としており、そのため、硝煙ガス噴出口に防水蓋、雷管装填金具の取り付けネジ部等に防水塗料が不可欠である。また、雷管装填金具のみ地上に露出する程度に埋設するので、硝煙ガス噴出孔の防水膜を目視することによって、雷管の作動状態が判別することができる。当然、地上に露出している雷管装填金具が、害獣等に見破られることがないよう、枯れ葉等により、偽装するのは必要である。
【実地例】
【０００７】  以下、添付図面に従って実地例を説明する。１ａ、１ｂは、１ミリ厚の本体で、３、スプリング組み立て４個により、上下に向かい合って、一部重複している。中央に、雷管破裂装置組み立てが装着しているが、全体の高さの調節は、３ｃ、スプリング取付け調節棒で調整する。実際の作動状態を説明すると、上から重量が加わると、３、スプリング組み立てが収縮し、２、雷管破裂装置組み立て装置も収縮し、結果的に、２ｄ、頭部が２ｅ、雷管を突き上げ、破裂させるものである。破裂した硝煙ガスは、破裂音とともに、２ｆ、硝煙ガス噴出口より噴出するものである。
【０００８】  ２、主たる部品の雷管破裂装置組み立てを、説明する。図３、雷管破裂装置組み立て詳細断面図により、２ｃ、取り付け金具と、２ｂ、受け金具で、１ａ本体を挟み取り付け、受け金具の内ネジの上半分が、２ａ、雷管装填金具の外ネジによって取り付ける。２ｃ、取り付け金具と、２ａ雷管装填金具の上部付近まで、２ｄ、雷管衝撃棒がストロークするための、シリンダーになっている。また、シリンダーの直径は、１５ミリ程度がベストで、２ｄ雷管衝撃棒の先端の最も太い部分で、シリンダーの直径マイナス、０，２ミリが最適である。図面では判別出来ないが、シリンダーの最深部と、２ｄ雷管衝撃棒の先端は、衝撃棒の高さに相当する、Ｒ状に加工する。これは、害獣が踏む位置によって、４個のスプリングの収縮が、水平でない場合に対応するものである。
【０００９】  本考案の実地例は、上述の如き構成からなるものであるが、目的は体重、１０ｋｇ、程度以上の猪、鹿等である。しかし、スプリングの収縮強度の選定により、猿、狸、等の対象となる、５ｋｇ以上も可能である。
【図面の簡単な説明】
【００１０】
【図１】本考案の害獣撃退地雷管全体の平面図である。
【図２】上記平面図に対する、正面図、断面図である。
【図３】雷管破裂装置組み立て、断面詳細図
【図４】スプリング組み立て、断面詳細図
【符号の説明】
【００１１】１ａ  本体上部
１ｂ  本体下部
２    雷管破裂装置組み立て
２ａ  雷管装填金具
２ｂ  雷管装填受け金具
２ｃ  取り付け金具
２ｄ  雷管衝撃棒
２ｅ  雷管
２ｆ  硝煙ガス噴出口
３    スプリング組み立て
３ａ  スプリング金具、上部
３ｂ  スプリング金具、下部
３ｃ  スプリング取り付け調節棒
４    防水用、０リング
【図１】
0003151215.tif 000003
【図２】
0003151215.tif 000004
【図３】
0003151215.tif 000005
【図４】
0003151215.tif 000006
【手続補正書】
【提出日】平成21年3月5日(2009.3.5)
【手続補正１】
【補正対象書類名】実用新案登録請求の範囲
【補正対象項目名】全文
【補正方法】変更
【補正の内容】
【実用新案登録請求の範囲】
【請求項１】
盆状の本体下部に、盆状の本体上部が、蓋状に合体しており、盆状の本体下部と、盆状の本体上部との間に、スプリング組み立て部材を設け、本体中央に、雷管破裂装置組み立て部材を固定し、埋設した本体を害獣が踏むことにより、スプリングが収縮して雷管を破裂させ、害獣を撃退することを特徴とする、害獣撃退地雷管
【請求項２】
害獣撃退地雷管の中央に設ける雷管破裂装置組み立ては、中央の雷管衝撃棒と、その上に設ける雷管装填受け金具、及び、雷管装填金具を設けて構成され、雷管が破裂し、破裂による硝煙ガスを放出するシステムであることを特徴とする、請求項１記載の、害獣撃退地雷管
【手続補正２】
【補正対象書類名】明細書
【補正対象項目名】０００７
【補正方法】変更
【補正の内容】
【０００７】    以下添付図面に従って実地例を説明する。１ａ，１ｂは、１ミリ厚の本体で、深めの盆状の形状で、３のスプリング組み立て部材４個を挟み、上下に向かい合う形状で、側面の重複部分に、防湿用の０リングが装着している。中央に、２、の雷管破裂装置組み立てが固定している。全体の高さは、３ｃの、スプリング取り付け調節棒で調節する。実際の作動状態を説明すると、本体の上部に、上から重量が加わると、３のスプリング組み立てが収縮し、また、２の雷管破裂装置組み立て、も連動して収縮し、結果、２ｄの雷管衝撃棒の頭部が、２ｅの雷管を突き上げ、破裂させるものである。破裂した硝煙ガスは、破裂音とともに、２ｆ、の硝煙ガス噴出口より噴出するものである。